【手続補正書】
【提出日】平成28年12月26日(2016.12.26)
【手続補正１】
【補正対象書類名】明細書
【補正対象項目名】００６５
【補正方法】変更
【補正の内容】
【００６５】
本明細書において、本発明の或る特定の特徴だけが図示及び説明されてきたが、当業者には多くの変更及び変形が思い浮かぶであろう。それゆえ、添付の特許請求の範囲は、本発明の真の趣旨に入る全ての変更及び変形を包含することを意図していることを理解されたい。
また、本発明は以下の特徴を以って実施することができる。
［特徴１］
溶接システムであって、
溶接アークの光強度を検知するように構成される第１のセンサーと、
電源装置によって電極に与えられる電流を検知するように構成される第２のセンサーと、
前記第１のセンサー及び前記第２のセンサーに通信可能に結合され、前記電流に対して前記光強度を変更するように構成されるコントローラーであって、該コントローラーは前記変更済み光強度に基づいて該溶接システムの溶接パラメーターを制御するように構成されるコントローラーとを備える溶接システム。
［特徴２］
前記コントローラーは前記溶接パラメーターを制御し、前記溶接アークのアーク長を保持するように構成される特徴１に記載の溶接システム。
［特徴３］
前記変更済み光強度は前記溶接アークのアーク長に正比例する特徴１に記載の溶接システム。
［特徴４］
前記第１のセンサーは溶接トーチ上に取り付けられ、前記溶接トーチは、前記工作物に向かって前記電極を出すように構成される特徴１に記載の溶接システム。
［特徴５］
前記溶接パラメーターは、前記電流、前記電極に与えられる電気の流れの電圧、ワイヤ送給速度又はその組み合わせを含む特徴１に記載の溶接システム。
［特徴６］
前記電源装置によって前記電極に与えられる前記電気の流れの電圧を検知するように構成される第３のセンサーを備え、
前記コントローラーは、前記第３のセンサーに通信可能に結合され、前記変更済み光強度が光強度しきい値より小さく、かつ前記検知された電圧が電圧しきい値より大きいときに、前記電圧に基づいて前記溶接パラメーターを制御するように構成される特徴１に記載の溶接システム。
［特徴７］
前記工作物に向かって前記電極を進めるように構成されるワイヤ送給装置を備え、前記コントローラーは、前記ワイヤ送給装置のワイヤ送給速度を調整するのに応じて、前記溶接パラメーターを自動制御するように構成される特徴１に記載の溶接システム。
［特徴８］
前記第１のセンサーは光起電セル、フォトダイオード、感光素子、又はその何らかの組み合わせを含む特徴１に記載の溶接システム。
［特徴９］
前記第１のセンサーはヘルメット上に配置される特徴１に記載の溶接システム。
［特徴１０］
光センサーによって、溶接システムの電極と工作物との間に生成される溶接アークから放射される光の強度を検出することと、
電流センサーによって、前記溶接システムの電源装置から前記電極に与えられる電流を検出することと、
前記溶接システムの制御回路によって、前記被検出電流に対して前記被検出光強度を変更することであって、前記溶接アークの変更済み光強度を求めることと、
前記変更済み光強度に基づいて前記溶接システムの溶接パラメーターを制御することとを含む方法。
［特徴１１］
電圧センサーによって、前記電源装置から前記電極に与えられる前記電気の電圧を検出することと、前記変更済み光強度及び前記被検出電圧に基づいて前記溶接パラメーターを制御することとを含む特徴１０に記載の方法。
［特徴１２］
前記溶接パラメーターを制御することは、
前記変更済み光強度に基づいて、前記溶接アークが前記光センサーの視野から遮られるか否かを判断することと、
前記溶接アークが前記光センサーの視野から遮られるときに、前記被検出電圧に基づいて前記溶接パラメーターを制御することとを含む特徴１１に記載の方法。
［特徴１３］
前記溶接アークが前記光センサーの視野から遮られるか否かを判断することは、前記変更済み光強度を所定のしきい値光強度と比較することと、前記被検出電圧を所定のしきい値電圧と比較することとを含む特徴１２に記載の方法。
［特徴１４］
前記溶接アークのアーク長を保持することを含み、前記変更済み光強度は前記アーク長に正比例する特徴１０に記載の方法。
［特徴１５］
前記光強度を変更することは、前記被検出電流に対して前記被検出光強度を正規化することを含む特徴１０に記載の方法。
［特徴１６］
前記光強度を変更することは、
前記被検出光強度と前記被検出電流との間の位相シフトに基づいて利得係数を求めることと、
前記被検出光強度を前記被検出電流で除算することと、
前記利得係数に従って前記除算後の光強度を補正することとを含む特徴１０に記載の方法。
［特徴１７］
溶接システムであって、
前記溶接システムの電極と工作物との間の溶接アークの光強度を示す信号を受信し、
前記溶接アークを生成するために前記電極に供給される電流を示す信号を受信し、
前記電流を示す信号に対して前記光強度を示す信号を変更し、
前記光強度を示す前記変更済み信号に基づいて前記溶接システムの電源装置に制御信号を与えるように構成される制御回路を備える溶接システム。
［特徴１８］
前記制御信号は、前記電源装置によって実現されるときに、前記溶接アークの所望のアーク長を保持するために、電圧、前記電極に供給される前記電流、又はワイヤ送給速度のうちの少なくとも１つを調整する特徴１７に記載の溶接システム。
［特徴１９］
前記制御回路は、前記電極に供給される前記電気の電圧を示す電圧信号を受信し、前記変更済み信号及び前記電圧信号の両方に基づいて前記制御信号を与えるように構成される特徴１７に記載の溶接システム。
［特徴２０］
前記制御回路は、
前記変更済み信号を光強度しきい値と比較し、
前記電圧信号を電圧しきい値と比較し、
前記変更済み信号に基づいて第１の制御信号を決定し、
前記電圧信号に基づいて第２の制御信号を決定し、
前記変更済み信号が前記光強度しきい値より大きいときに前記第１の制御信号を前記電源装置に与え、
前記電圧信号が前記電圧しきい値より大きく、かつ前記変更済み信号が前記光強度しきい値より小さいときに前記第２の制御信号を前記電源装置に与えるように構成される特徴１９に記載の溶接システム。
【手続補正２】
【補正対象書類名】特許請求の範囲
【補正対象項目名】全文
【補正方法】変更
【補正の内容】
【特許請求の範囲】
【請求項１】
溶接システムであって、
溶接アークの光強度を検知するように構成される第１のセンサーと、
電源装置によって電極に与えられる電流を検知するように構成される第２のセンサーと、
前記第１のセンサー及び前記第２のセンサーに通信可能に結合され、前記電流に対して前記光強度を変更するように構成されるコントローラーであって、該コントローラーは前記変更済み光強度に基づいて該溶接システムの溶接パラメーターを制御するように構成されるコントローラーとを備える溶接システム。
【請求項２】
光センサーによって、溶接システムの電極と工作物との間に生成される溶接アークから放射される光の強度を検出することと、
電流センサーによって、前記溶接システムの電源装置から前記電極に与えられる電流を検出することと、
前記溶接システムの制御回路によって、前記被検出電流に対して前記被検出光強度を変更することであって、前記溶接アークの変更済み光強度を求めることと、
前記変更済み光強度に基づいて前記溶接システムの溶接パラメーターを制御することとを含む方法。
【請求項３】
溶接システムであって、
前記溶接システムの電極と工作物との間の溶接アークの光強度を示す信号を受信し、
前記溶接アークを生成するために前記電極に供給される電流を示す信号を受信し、
前記電流を示す信号に対して前記光強度を示す信号を変更し、
前記光強度を示す前記変更済み信号に基づいて前記溶接システムの電源装置に制御信号を与えるように構成される制御回路を備える溶接システム。